(57)【要約】      （修正有）【課題】航空機着陸装置の１つ以上の車輪を回転させるための、駆動システム用のギアを提供する。【解決手段】航空機の着陸装置駆動システムの円形のアレイを形成するように配置されたローラーギア６００であって長手方向軸の方向におけるローラー取り付けピンの軸方向移動を防ぐために、前記少なくとも１つのローラー取り付けピンのヘッド部を係合するように配置された、ローラー取り付けピン一次保持手段をさらに備えることを特徴とする。【選択図】図６
2020037403.tif 000002
【特許請求の範囲】
【請求項１】
ローラーギアであって、
実質的に円形のアレイを形成するように配置された一連のローラーと、
前記ローラーギアの回転軸に沿って互いに軸方向に間隔を空けた少なくとも２つのロー
ラー取り付け部材であり、該ローラー取り付け部材のそれぞれは、そこにローラー取り付
けピンを受け入れて、前記ローラー取り付け部材の間に前記ローラーを取り付けるための
、実質的に円アレイの開口部を備えている、ローラー取り付け部材と、
前記開口部に配置される前記ローラー取り付けピンのアレイであり、前記ローラー取り
付けピンのそれぞれは、前記ローラー取り付け部材に対して前記ローラーを保持するため
、前記ローラー取り付け部材及び前記ローラーを入れるための長手方向軸を有する、ロー
ラー取り付けシャフトを備えている、ローラー取り付けピンのアレイと、
を備え、
前記ローラー取り付けピンの少なくとも１つは、前記ピンの径方向寸法の変化によって
前記シャフトから区切られた、ローラー取り付けピンのヘッド部を備え、
前記ローラーギアは、その長手方向軸の方向における前記ローラー取り付けピンの軸方
向移動を防ぐために、前記少なくとも１つのローラー取り付けピンの前記ヘッド部を係合
するように配置された、ローラー取り付けピン一次保持手段をさらに備えることを特徴と
する、ローラーギア。
【請求項２】
前記ローラー取り付けピン一次保持手段は、前記ローラー取り付けピンと前記ローラー
取り付けピン保持手段との間の相対的な回転又は並進動作によって、前記ローラー取り付
けピンと係合、又は係合解除するように配置される、
請求項１に記載のローラーギア。
【請求項３】
前記ローラー取り付けピン一次保持手段は、前記ローラー取り付けピンと前記ローラー
取り付けピン保持手段との間の相対的な回転動作によって前記ローラー取り付けピンを係
合、又は係合解除するように配置される、
請求項２に記載のローラーギア。
【請求項４】
前記ローラー取り付けピン一次保持手段及び前記ローラー取り付けピンを係合状態にロ
ックするための、ローラー取り付けピン二次保持手段をさらに備える、
請求項１〜３のいずれかに記載のローラーギア。
【請求項５】
前記ローラー取り付けピン二次保持手段は、前記ローラー取り付けピンと前記ローラー
取り付けピン保持手段との間の相対的な回転動作を防ぐように配置される、
請求項４に記載のローラーギア。
【請求項６】
前記ローラーピン一次及び二次保持手段の少なくとも１つは、前記ローラー取り付けピ
ンのアレイを同時に保持又はロックしたり、及び／又は、前記ローラー取り付けピンのア
レイを同時にリリース又はアンロックしたりするように配置される、実質的に環状の部材
である、
請求項１〜５のいずれかに記載のローラーギア。
【請求項７】
前記ローラーピン一次及び二次保持手段の少なくとも１つを、それが取り付けられるロ
ーラー取り付け部材に対して固定するための固定手段をさらに備える、
請求項１〜６のいずれかに記載のローラーギア。
【請求項８】
前記ローラー取り付けピンのヘッド部は、前記ピン取り付けシャフトの半径よりも大き
い径方向の最大寸法を有し、第１の軸方向における前記ローラー取り付け部材に対する前
記ヘッド部の動きを防ぐ、
請求項１〜７のいずれかに記載のローラーギア。
【請求項９】
前記ローラー取り付け部材は、前記ローラーギアのコアに取り付けられる、
請求項８に記載のローラーギア。
【請求項１０】
前記コアは、前記ローラーギアが取り付けられるシャフトを受け入れるボアを備える、
請求項９に記載のローラーギア。
【請求項１１】
前記ローラー取り付けピンの前記ヘッド部は、第１の径方向寸法を有する第１の部分と
、前記第１の径方向寸法よりも小さい、第２の径方向寸法を有する第２の部分とを有する
、
請求項８〜１０のいずれかに記載のローラーギア。
【請求項１２】
前記ヘッド部は、第１の径方向寸法を有する第１の側部と、前記第１の径方向寸法より
も小さい、第２の径方向寸法を有する第２の側部とを有する、
請求項１１に記載のローラーギア。
【請求項１３】
前記ローラー取り付けピンの前記ヘッド部は、実質的に円弧状の第１の部分及び実質的
に直線状の第２の部分を有する外周を有する、
請求項１２に記載のローラーギア。
【請求項１４】
前記ローラー取り付けピンの少なくとも一端は、前記ピンを回転させるために工具を係
合させるための係合機構を備える、
請求項１１〜１３のいずれかに記載のローラーギア。
【請求項１５】
前記ローラー取り付けピンの端部のそれぞれは、前記ピンを回転させるために工具を係
合させるための係合機構を備える、
請求項１４に記載のローラーギア。
【請求項１６】
前記ローラー取り付けピン一次保持手段は、前記ローラー取り付け部材から間隔を空け
て、取り付けられる、
請求項１〜１５のいずれかに記載のローラーギア。
【請求項１７】
前記ローラー取り付けピン一次保持手段は、前記ローラーギアの前記回転軸に対して軸
方向に延在する第１の部分と、前記ローラーギアの前記回転軸に対して径方向に延在する
第２の部分とを備える、
請求項１６に記載のローラーギア。
【請求項１８】
前記ローラー取り付けピン一次保持手段は、前記ローラー取り付け部材の外周の周りに
配置される環状部分を備える、
請求項１６又は請求項１７に記載のローラーギア。
【請求項１９】
前記ローラー取り付けピン一次保持手段は、軸方向に延在する第１の環状部分と、径方
向に延在する第２の環状部分とを備える、
請求項１８に記載のローラーギア。
【請求項２０】
前記ローラーピンの少なくとも１つの回転を制限するための、ローラー取り付けピン二
次保持手段をさらに備える、
請求項１〜１９のいずれかに記載のローラーギア。
【請求項２１】
前記ローラー取り付けピン二次保持手段は、前記少なくとも１つのローラーピンヘッド
部に隣接して着脱可能に取り付けられるように配置される、
請求項２０に記載のローラーギア。
【請求項２２】
前記ローラー取り付けピン二次保持手段は、前記少なくとも１つのローラーピンが位置
する前記開口部の中心から、前記ローラーピンのヘッド部の径方向最大寸法よりも小さい
距離に配置される、
請求項２１に記載のローラーギア。
【請求項２３】
前記ローラー取り付けピン二次保持手段は、前記ローラーピンのヘッド部を介して前記
ピンの回転を制限するように配置される、
請求項２０〜２２のいずれかに記載のローラーギア。
【請求項２４】
前記ローラー取り付けピン二次保持手段は、前記ローラーギアの２つ以上のローラー取
り付けピンを保持するように配置される、
請求項２３に記載のローラーギア。
【請求項２５】
前記ローラー取り付けピン二次保持手段は、実質的に環状のリングであり、その内縁又
は外縁の少なくとも１つが、前記ローラーピンが位置する前記開口部の中心から、前記ロ
ーラーピンのヘッド部の径方向最大寸法よりも小さい距離に位置されるように配置される
、
請求項１４に記載のローラーギア。
【請求項２６】
前記ローラー取り付けピン二次保持手段は、前記ローラー取り付けピンをロック及びリ
リースするために、前記ローラー取り付け部材から繰り返し着脱可能である、
請求項２０〜２５のいずれかに記載のローラーギア。
【請求項２７】
前記ローラーギアの回転軸に沿って互いに軸方向に間隔を空けて、第１、第２及び第３
のローラー取り付け部材を備え、第１及び第２系列のローラーが、前記ローラーギアにお
けるそれぞれのリングに取り付けられる、
請求項１〜２６のいずれかに記載のローラーギア。
【請求項２８】
少なくとも１つのローラー取り付けピンは、前記ピンのヘッド部に対して縮径のネック
部と、前記ローラーギアに前記ピンを保持するために前記ピンヘッド部一次保持手段を係
合するための前記ピンのシャフトとを有する、
請求項１〜７のいずれかに記載のローラーギア。
【請求項２９】
前記ローラー取り付けピン一次保持手段は、前記ローラー取り付けピンのネック部の直
径よりも大きく、前記ヘッド部の直径及び前記ローラー取り付けピンの前記シャフトの直
径よりも小さい距離だけ間隔を空けた、一対の対向側部を有するピンヘッド部保持部を有
する、
請求項２８に記載のローラーギア。
【請求項３０】
前記ローラー取り付けピン一次保持手段は、前記ピンヘッド部又は前記ローラー取り付
けピンの前記シャフトの直径よりも大きな距離だけ間隔を空けて対向する面を有する、ピ
ンヘッド部リリース部をさらに備える、請求項２８又は請求項２９に記載のローラーギア
。
【請求項３１】
前記ピンヘッド部一次保持手段は、請求項２９の前記ピンヘッド部保持部及び請求項３
０の前記ピンヘッド部リリース部を備えている開口部を有する、
請求項３０に記載のローラーギア。
【請求項３２】
前記ローラー取り付けピン一次保持手段は、前記ローラー取り付けピンヘッド部を前記
ピンヘッド部保持部又は前記ピンヘッド部解放部にヘッド部選択的に位置付けるために、
前記ローラー取り付け部材に対してスライド可能である、
請求項３１に記載のローラーギア。
【請求項３３】
前記ローラー取り付けピン一次保持手段は、請求項２９の前記ピンヘッド部保持部及び
請求項３０の前記ピンヘッド部リリース部を備えている、開口部のアレイを備える実質的
に環状のリングである、請求項３０又は請求項３１に記載のローラーギア。
【請求項３４】
前記ローラー取り付けピン一次保持手段は、
前記ローラー取り付け部材の前記開口部のアレイが前記ピンヘッド部保持部のアレイと整
列する第１の位置及び、前記ローラー取り付け部材の前記開口部のアレイが前記ピンヘッ
ド部リリース部のアレイと整列する第２の位置から、回転可能に配置される、
請求項３３に記載のローラーギア。
【請求項３５】
第１及び第２のローラー取り付け部材を備えている、ローラーギア用の本体であって、
前記ローラー取り付け部材のそれぞれは、それにローラーを取り付けるためにローラー
取り付けピンを受け入れるための、実質的に環状のアレイに配置される複数の開口部を備
え、
前記ローラー取り付け部材の少なくとも１つは、前記ローラー取り付け部材と前記ロー
ラーピンヘッド部保持手段との間に、前記ヘッド部を保持するために、前記ローラー取り
付けピンの少なくとも１つのヘッド部とを係合するように配置される、ローラー取り付け
ピン保持手段を備えている、
ローラーギア用の本体。
【請求項３６】
前記ローラーを、前記ローラー取り付け部材に対して回転可能に取り付けるために、前
記ローラー取り付け部材及び前記ローラーを入れるための、第１の直径を有する、ピン取
り付けシャフトと、
第１の軸方向における、前記ローラー取り付け部材に対する前記ヘッド部の移動を防ぐ
ために、前記ピン取り付けシャフトの直径よりも大きな第１の径方向寸法を有する第１の
部分を有しているヘッド部と、を備える請求項１〜２７のいずれかのローラーギア用のロ
ーラー取り付けピンであって、
前記ピンの前記ヘッド部は、前記第１の径方向寸法よりも小さな第２の径方向寸法を有
する、第２の部分を有する、
ローラーギア用のローラー取り付けピン。
【請求項３７】
前記ヘッド部は、第１の径方向寸法を有する第１の側部及び前記第１の径方向寸法より
も小さな第２の径方向寸法を有する第２の側部を有する、
請求項３６に記載のローラー取り付けピン。
【請求項３８】
前記ヘッド部は、実質的に円弧状の第１の部分及び実質的に直線の第２の部分を有する
外周を有する、
請求項３７に記載のローラー取り付けピン。
【請求項３９】
前記ピンをその長手方向軸を中心に回転させるために工具を係合させるための、内在的
係合機構をさらに備える、請求項３６〜３８に記載のローラー取り付けピン。
【請求項４０】
前記ローラー取り付けピンの端部のそれぞれは、前記ピンを回転させるために工具を受
け入れるための、内在的係合機構を備える、
請求項３９に記載のローラー取り付けピン。
【請求項４１】
請求項１〜３４のいずれかに記載のローラーギアを備える、航空機着陸駆動システム。
【発明の詳細な説明】
【技術分野】
【０００１】
本発明は、地上タキシング（前進又は後進）及び／又は着陸前の車輪のスピンアップの
ため、及び／又は回転している車輪にブレーキングトルクを与える目的のために、航空機
着陸装置の１つ以上の車輪を回転させるための、駆動システム用のギアに関する。
【背景技術】
【０００２】
航空機は、飛行場の場所間で地上タキシングする必要がある。一例は、滑走路と航空機
の乗客が乗り降りする場所（例えば、ターミナルゲート）との間のタキシングである。典
型的には、このようなタキシングは、航空機を前方に進ませるために、航空機のエンジン
からの推進力を用いて、着陸装置の車輪を回転させることにより達成される。地上タキシ
ング速度は比較的低速度でなければならないので、エンジンは非常に低い出力で駆動しな
くてはならない。このことは、このような低い出力では推進効率が低くなるので、比較的
大量の燃料が消費されることを意味する。このことは、空港周辺の局所的な大気汚染と騒
音公害の増大につながる。さらに、エンジンが低い出力で駆動するときであっても、通常
、地上タキシング速度を抑えるために、車輪にブレーキをかける必要があり、ブレーキの
摩耗度が大きくなる。
【０００３】
旅客機の後退、例えば、ターミナルゲートから離れる際に、主エンジンを用いることは
禁止されている。後進させることが必要なとき、又は主エンジンの推進力によって地上タ
キシングが実行できない他の状況においては、レッカー車を用いて航空機を方々に操縦し
ている。このようなプロセスは、労力を要し、費用がかかる。
【０００４】
従って、地上タキシング操作中に、航空機着陸装置の車輪に動力を供給するための駆動
システムが必要である。また、このような駆動システムを用いて、着陸前に車輪を予め回
転させ、接地時に車輪が初期着陸速度又はそれに近い速度で既に回転しているようにする
ことも所望される。このような着陸前のスピンアップは、着陸時のタイヤの摩耗を低減さ
せ、着陸中に着陸装置に伝達される荷重を低減させると考えられる。
【０００５】
近年では、航空機が地上にある間の車輪の駆動と、着陸前の車輪のスピンアップとの双
方のための、いくつかの自律型地上タキシングシステムが提案されている。
【０００６】
一例が米国特許出願公開第２００６／００６５７７９号に開示されており、これは、車
輪が自由に回転できるモードと、車輪が電気モータによって駆動されるモードとの切り替
えにクラッチを用いる、航空機の前脚車輪駆動システムを提案している。クラッチは、着
陸前にモーターが車輪を予め回転させることができるように操作することもできる。
【０００７】
このような従来のシステムは、車輪の周りの多くのスペースがブレーキシステムによっ
て占められる主着陸装置に組み込めるようにするために非常に多くのスペースを要するこ
とから、通常は、前脚着陸装置に限られている。しかしながら、前脚着陸装置は、地上タ
キシング操作中、概して、着陸装置によって支持される垂直荷重のごく一部（航空機の重
量の約５％）を支持するに過ぎない。従って、航空機の地上タキシングを確かなものとす
るのには、駆動される前脚着陸装置の車輪と地面との間の静止摩擦力が不十分なことがあ
る。このようなことは、航空機の重心が後部寄りにあるときや、地表が滑りやすいときに
、特に関係する。
【０００８】
前脚着陸装置に限定されない従来の装置が、国際公開第２０１１／０２３５０５号に開
示されている。この開示システムは、アクチュエータを用いてピニオンギアを動かし、車
輪ハブに取り付けられたリングギアと駆動係合させたり、駆動係合を解除したりす。ロー
ラーギアは、このような着陸装置駆動システムに有益であるとされ、これに関連する国際
公開第２０１４／０２３９３９号が開示されている。
【先行技術文献】
【特許文献】
【０００９】
【特許文献１】米国特許出願公開第２００６／００６５７７９（Ａ１）号明細書
【特許文献２】国際公開第２０１１／０２３５０５（Ａ２）号
【特許文献３】国際公開第２０１４／０２３９３９（Ａ１）号
【発明の概要】
【発明が解決しようとする課題】
【００１０】
航空機着陸装置のローラーギアに用いられるコンポーネントは、有限の耐用年数を有す
るため、この関連で用いられるローラーギアは、洗浄及びコンポーネントの交換、より具
体的には、ローラー及び、ローラーが取り付けられるピンを交換したり、又は洗浄したり
注油したりするために分解する必要がある。これらの部品は、着陸及び離陸操作に重要な
コンポーネントであるので、定期的な保守点検はもちろん、そのような保守点検に関連す
る人件費や航空機の修理時間が重要であり、それらの影響は最小限に抑えるべきである。
このような問題に対処するために、本発明は、航空機の着陸装置駆動システムに用いる、
改良型のローラーギアを提案する。
【００１１】
本発明の第１の態様にて提供されるローラーギアは、
実質的に円形のアレイを形成するように配置された一連のローラーと、
ローラーギアの回転軸に沿って互いに軸方向に間隔を空けた少なくとも２つのローラー
取り付け部材であり、該ローラー取り付け部材のそれぞれは、そこにローラー取り付けピ
ンを受け入れて、ローラー取り付け部材の間にローラーを取り付けるための、実質的に円
形アレイの開口部を備えている、ローラー取り付け部材と、
開口部に配置されるローラー取り付けピンのアレイであり、ローラー取り付けピンのそ
れぞれは、ローラー取り付け部材に対してローラーを保持するために、前記ローラー取り
付け部材及び前記ローラーを入れるための長手方向軸を有する、ローラー取り付けシャフ
トを備えている、ローラー取り付けピンのアレイと、を備え、
ローラー取り付けピンの少なくとも１つは、前記ピンの径方向寸法の変化によってシャ
フトから区切られた、ローラー取り付けピンヘッド部を備え、
ローラーギアは、その長手方向軸の方向におけるローラー取り付けピンの軸方向移動を
防ぐために、少なくとも１つのローラー取り付けピンのヘッド部を係合するように配置さ
れた、ローラー取り付けピン一次保持手段をさらに備える。
【００１２】
本発明のローラーギアは、ローラー及びローラーピンとも称されるローラー取付けピン
の繰り返しの取り外し及び交換に都合よく構成される。本明細書で説明する構成は、低プ
ロファイルのピン保持手段を提供することができ、ローラー取り付けピンを支持するロー
ラー取り付け部材の幅を超えて、ローラーギアの幅をほとんど増やすことなく、繰り返し
取り外せる方法で、ローラーギアにローラー取付けピンを保持する。
【００１３】
ローラー取り付けピン一次保持手段は、ローラー取り付けピンとローラー取り付けピン
保持手段との間の相対的な回転又は並進動作によって、ローラー取り付けピンと係合、又
は係合解除するように配置されてもよい。
【００１４】
ローラー取り付けピン一次保持手段は、ローラー取り付けピンとローラー取り付けピン
保持手段との間の相対的な回転動作によってローラー取り付けピンを係合、又は係合解除
するように配置されてもよい。
【００１５】
ローラーギアは、ローラー取り付けピン一次保持手段及びローラー取り付けピンを係合
状態にロックするための、ローラー取り付けピン二次保持手段をさらに備えてもよい。
【００１６】
ローラー取り付けピン二次保持手段は、ローラー取り付けピンとローラー取り付けピン
保持手段との間の相対的な回転動作を防ぐように配置されてもよい。
【００１７】
ローラーピン一次及び二次保持手段の少なくとも１つは、ローラー取り付けピンのアレ
イを同時に保持又はロックしたり、及び／又は、ローラー取り付けピンのアレイを同時に
リリース又はアンロックしたりするように配置される、実質的に環状の部材であってもよ
い。
【００１８】
ローラーギアは、ローラーピン一次及び二次保持手段の少なくとも１つを、それが取り
付けられるローラー取り付け部材に対して固定するための固定手段をさらに備えてもよい
。
【００１９】
ローラー取り付けピンのヘッド部は、ピン取り付けシャフトの半径よりも大きい半径方
向最大寸法を有し、第１の軸方向におけるローラー取り付け部材に対するヘッド部の動き
を防いでもよい。
【００２０】
ローラー取り付け部材は、ローラーギアのコアに取り付けられてもよく、コアは、好適
には、ローラーギアが取り付けられるシャフトを受け入れるためのボアを備える。
【００２１】
ローラー取り付けピンのヘッド部は、第１の径方向寸法を有する第１の部分と、第１の
径方向寸法よりも小さい、第２の径方向寸法を有する第２の部分とを有してもよい。
【００２２】
ローラー取り付けピンのヘッド部は、第１の径方向寸法を有する第１の側部と、第１の
径方向寸法よりも小さい、第２の径方向寸法を有する第２の側部とを有してもよい。ロー
ラー取り付けピンのヘッド部は、第１の実質的に円弧状の部分及び第２の実質的に直線状
の部分を有する外周を有してもよい。少なくとも一端、好適には、ローラー取り付けピン
の端部のそれぞれは、ピンを回転させるツールを係合させるための係合機構を備えてもよ
い。
【００２３】
ローラー取り付けピン一次保持手段は、ローラー取り付け部材から間隔を空けて、取り
付けられてもよい。
【００２４】
ローラー取り付けピン一次保持手段は、ローラーギアの回転軸に対して軸方向に延在す
る第１の部分と、ローラーギアの回転軸に対して径方向に延在する第２の部分とを備えて
もよい。
【００２５】
ローラー取り付けピン一次保持手段は、ローラー取り付け部材の外周の周りに配置され
る環状部分を備えてもよい。
【００２６】
ローラー取り付けピン一次保持手段は、軸方向に延在する第１の環状部分と、径方向に
延在する第２の環状部分とを備えてもよい。
【００２７】
ローラーギアは、ローラーピンの少なくとも１つの回転を制限するための、ローラー取
り付けピン二次保持手段をさらに備えてもよい。
【００２８】
ローラー取り付けピン二次保持手段は、少なくとも１つのローラーピンヘッド部に隣接
して着脱可能に取り付けられるように配置されてもよい。
【００２９】
ローラー取り付けピン二次保持手段は、少なくとも１つのローラーピンが位置する開口
部の中心から、ローラーピンヘッド部の径方向の最大寸法よりも小さい距離に配置されて
もよい。
【００３０】
ローラー取り付けピン二次保持手段は、ローラーピンヘッド部を介して前記ピンの回転
を制限するように配置されてもよく、好適には、ローラー取り付けピンのヘッド部を係合
することによる。
【００３１】
ローラー取り付けピン二次保持手段は、ローラーギアの２つ以上のローラー取り付けピ
ンを保持するように配置されてもよい。
【００３２】
ローラー取り付けピン二次保持手段は、実質的に環状のリングであり、その内縁又は外
縁の少なくとも１つが、ローラーピンが位置する開口部の中心から、ローラーピンのヘッ
ド部の径方向最大寸法よりも小さい距離に位置されるように配置されてもよい。
【００３３】
ローラー取り付けピン二次保持手段は、ローラー取り付けピンをロック及びリリースす
るために、ローラー取り付け部材から繰り返し着脱可能であってもよい。
【００３４】
前述の請求項のいずれかに記載のローラーギアは、ローラーギアの回転軸に沿って互い
に軸方向に間隔を空けて、第１、第２及び第３のローラー取り付け部材を備え、第１及び
第２系列のローラーが、ローラーギアにおけるそれぞれのリングに取り付けられてよい。
【００３５】
少なくとも１つのローラー取り付けピンは、ピンのヘッド部に対して縮径のネック部と
、ローラーギアにピンを保持するためにピンのヘッド部の一次保持手段を係合するための
ピンのシャフトとを有してもよい。
【００３６】
ローラー取り付けピン一次保持手段は、ローラー取り付けピンのネック部の直径よりも
大きく、ヘッド部の直径及びローラー取り付けピンのシャフトの直径よりも小さい距離だ
け間隔を空けた、一対の対向側部を有するピンのヘッド部保持部を有してもよい。
【００３７】
ローラー取り付けピン一次保持手段は、ピンのヘッド部又はローラー取り付けピンのシ
ャフトの直径よりも大きな距離だけ間隔を空けて対向する面を有する、ピンのヘッド部リ
リース部をさらに備えてもよい。ピンのヘッド部一次保持手段は、ピンのヘッド部保持部
及びピンのヘッド部リリース部を備えている、通り抜ける形の開口部を有してもよい。
【００３８】
ローラー取り付けピン一次保持手段は、ローラー取り付けピンのヘッド部をピンのヘッ
ド部保持部及び／又はピンのヘッド部リリース部に選択的に位置付けるために、ローラー
取り付け部材に対してスライド可能であってもよい。
【００３９】
ローラー取り付けピン一次保持手段は、ピンのヘッド部リリース部及びピンのヘッド部
リリース部を備えている、開口部のアレイを備える実質的に環状のリングであってもよい
。
【００４０】
ローラー取り付けピン一次保持手段は、ローラー取り付け部材の開口部のアレイがピン
のヘッド部保持部のアレイと整列する第１の位置及び、ローラー取り付け部材の開口部の
アレイがピンのヘッド部リリース部のアレイと整列する第２の位置から、回転可能に配置
されてもよい。 
【００４１】
さらなる態様において、本発明は、第１及び第２のローラー取り付け部材を備えている
ローラーギア用の本体であって、
ローラー取り付け部材のそれぞれは、それにローラーを取り付けるためにローラー取り
付けピンを受け入れるための、実質的に環状のアレイに配置される複数の開口部を備え、
ローラー取り付け部材の少なくとも１つは、ローラー取り付け部材とローラーピンのヘ
ッド部保持手段との間に、ヘッド部を保持するために、ローラー取り付けピンの少なくと
も１つのヘッド部と係合するように配置される、ローラー取り付けピンを備えている、ロ
ーラーギア用の本体を提供する。 
【００４２】
さらなる態様において、本発明は、本願明細書に記載されるローラーギアのためのロー
ラー取り付けピンを提供し、ローラー取り付けピンは、
ローラーをローラー取り付け部材に対して回転可能に取り付けるために、ローラー取り
付け部材及びローラーを入れるための、第１の直径を有する、ピン取り付けシャフトと、
好適には、第１の軸方向における、ローラー取り付け部材に対するヘッド部の動きを防
ぐために、ピン取り付けシャフトの直径よりも大きな第１の径方向寸法を有する第１の部
分を有するヘッド部と、を備え、ピンのヘッド部は、好適には第１の径方向寸法よりも小
さな第２の径方向寸法を有する、第２の部分を有する。
【００４３】
ヘッド部は、第１の径方向寸法を有する第１の側部及び前記第１の径方向寸法よりも小
さな第２の径方向寸法を有する第２の側部を有してもよい。ヘッド部は、実質的に円弧状
の第１の部分及び実質的に直線の第２の部分を有する外周を有してもよい。ピンは、ピン
をその長手方向軸を中心に回転させるために工具を係合させるための、内在的係合機構を
さらに備えてもよい。ローラー取り付けピンの端部のそれぞれは、ピンを回転させるため
に工具を受け止めるための、内在的係合機構を備えてもよい。
【００４４】
本発明のさらなる態様は、本明細書に記載したようなローラーギアを備える、航空機着
陸装置を提供する。
【００４５】
好適には、駆動システムは、着陸装置の主脚に着脱自在に取り付けられる。従って、駆
動システムは、保守のため及び／又は駆動伝達装置を用いることが航空機の巡航にその重
量ペナルティのために経済的ではなくなるような長距離の運行に航空機を用いる場合に、
取り外すことができる。
【００４６】
駆動システムは、バネ部（例えば、ストラット）上か、非バネ部（例えば、スライダー
又は車軸又はボギー）上のいずれかの着陸装置に外部から取り付けてもよい。駆動システ
ムは、着陸装置に枢動可能に取り付けられてもよい。駆動ピニオンを支える出力シャフト
は、駆動ピニオンの回転軸からずれた、実質的に水平な枢動軸の周りを回転させてもよい
。第１及び第２のギアは、枢動軸の周りを回転することによって係合したり外れたりする
ように動くことができる。モータは、枢動軸の周りを駆動ピニオンと一緒に動くことがで
き、代替的には、モータは枢動軸に対して静止していてもよく、又は、さらに代替的に、
モータは、駆動ピニオンが枢動軸を中心とした円弧を通って動く際に、枢動軸の周りを回
転してもよい。
【００４７】
ローラーギアは、駆動ピニオン及び／又は被駆動ギア用としてもよく、ギアと、ギアが
回転可能に取り付けられるシャフトとの間の等速ジョイント又は同様の装置を含んでもよ
い。これは、着陸装置が撓むときに、駆動係合を確実に維持できるようにするのに役立て
ることができる。
【００４８】
着陸装置は、ただ１つの駆動可能な車輪を有していてもよい。代替的には、２つ以上の
着陸装置の車輪を１つ以上のモータによって駆動してもよい。差動装置をモータと駆動ピ
ニオンとの間に用いてもよい。モータは、例えば電動式又は油圧式としてもよい。
【００４９】
車輪に取り付けられるギアは、ギア比を拡大させる、有意なトルクを発現させるために
、駆動ピニオンよりも大きい直径を有することが好ましい。このように直径の大きいハブ
を利用することによって、質量の最適解を達成できる。 
【００５０】
航空機に組み込む場合、着陸装置は、駆動伝達装置に電力を供給し、その動作を制御す
るための、電力供給制御システムと共に用いることができる。
【００５１】
以下、本発明の実施形態を、添付図面を参照して説明する。
【図面の簡単な説明】
【００５２】
【図１】第１の実施形態による駆動システムの等角図である。
【図２】図１の駆動システムのさらなる等角図である。
【図３】第２の実施形態による駆動システムの選択されたコンポーネントの等角図である。
【図４】駆動システムにおいて、駆動力を伝達するためのローラーギアとスプロケットのオプショナルな配置を示す図である。
【図５】駆動システムでの使用に適したローラーギアを示す図である。
【図６】本発明によるローラーギアの例を示す図である。
【図７】図６のローラーギアを貫く断面図である。
【図８】図６のローラーギアをさらに詳細に示す図である。
【図９】図６のローラーギアの一部組み立て図である。
【図１０】図６のローラーギアのためのローラー取り付けピンを示す図である。
【図１１】代替のローラーギアを示す図である。
【図１２】図１１のローラーギアをさらに詳細に示す図である。
【図１３】ローラー取り付けピンの取り外し又は取り付けのために構成された、図１１のローラーギアを示す図である。
【図１４】図１３のローラーギアの詳細を示す図である。
【図１５】図１１のローラーギアのためのローラー取り付けピンの詳細を示す図である。
【発明を実施するための形態】
【００５３】
２つの車輪を有する航空機着陸装置に適用される例示実施形態が示されるが、実施形態
の原理は、単一車輪のみを含む任意数の車輪を有する着陸装置に適用されてもよい。本発
明のローラーギアは、任意の駆動システムに適用して、対応するスプロケット又はピニオ
ンに係合させることができる。主着陸装置によって支持される重量は、車輪と地面との間
に最適な静止摩擦力を与えて、航空機の地上タキシングの信頼度を高めるとみなされるた
め、図示の実施形態は、主着陸装置（即ち、翼構造又は翼周辺の胴体構造に取り付けられ
る着陸装置）に適用することができる。しかしながら、本発明のローラーギアを組み込む
駆動システムは、代替的に前脚着陸装置（即ち、航空機の機首寄りの、操縦可能な着陸装
置）に適用されてもよい。図示の主着陸装置は、単通路型旅客機（乗客約１５０〜２００
名）に適用可能であるが、本発明は、民間機、軍用機、ヘリコプター、旅客機（乗客５０
名未満、乗客１００〜１５０名、乗客１５０〜２５０名、乗客２５０〜４５０名、乗客４
５０名以上）、貨物輸送機及びティルトロータ機等を含む、種々のタイプ及び重量の航空
機に広く適用可能である。
【００５４】
本発明のローラーギアを組み込む駆動システムは、本明細書に記載される実施形態の詳
細な説明において明らかになるように、重機、乗り物、採掘装置及び回転駆動システムを
用いる他の任意の機械装置のような、他の駆動チェーンに適用して、本発明の利点を実現
することもできる。
【００５５】
着陸装置１０は、衝撃を吸収する伸縮自在の主脚１２を含み、この主脚１２は、上部の
伸縮部１２ａ（メインフィッティング）と下部の伸縮部１２ｂ（スライダ）を含む。上部
の伸縮部１２ａは、その上端（図示せず）が、航空機の胴体又は翼（図示せず）に取り付
けられる。下部の伸縮部１２ｂは、主脚の両側に１つずつの一対の車輪１６（図面の明瞭
化のため、図１及び図２においては一方の車輪１６だけを示す）を支える車軸１４を支持
する。車輪１６は、タキシング又は着陸といったような航空機の地上移動を可能にするた
めに、車軸１４を中心に回転するように配置される。 
【００５６】
車輪１６は、それぞれ、リム１８ａを有するハブ１８によって支持されるタイヤ１７を
備え、ハブ１８は、その外周にてタイヤ１７を保持する。ハブ１８（好ましくは、リム１
８ａ）には、被駆動ギア２０が、車輪１６と一緒に回転し得るように取り付けられる。被
駆動ギア２０は、複数の個別のカップリングによって車輪１６に取り付けてもよく、剛性
又はフレキシブルなアタッチメントを提供することができる。代替的に、その取り付けは
、車輪１６又は被駆動ギア２０のいずれかから軸方向に突出する連続拡張リムを形成する
フランジを介してもよい。
【００５７】
駆動システム５０は、ギアボックス７０を介して駆動シャフト５４にトルクを伝達する
モータ５２を含む。駆動システム５０は、着陸装置の車軸１４に剛接続されたブラケット
５６によって支持される。ブラケット５６は、車軸１４へのブラケット５６の迅速な着脱
を可能にする、半月状のクランプを備える２つのラグを含む。モータ５２は、例えば、ボ
ルト締めによって、ブラケット５６に固定的に接続される。ギアボックス７０は、このギ
アボックス７０のいずれかの側に配置されるブラケット５６の各アーム上のピボットラグ
８２にて、ブラケット５６に枢動可能に接続される。
【００５８】
駆動軸の回りを駆動シャフト５４が回転し得るように、駆動シャフト５４には駆動ピニ
オン６０が取り付けられている。駆動ピニオン６０、駆動シャフト５４及びギアボックス
７０は、ブラケット５６（車軸１４に最も近い端部における）と、ギアボックス７０、よ
り具体的にはギアボックスのハウジング８４との間に延在する、直接駆動のローラーねじ
による電気機械式のリニアアクチュエータといったような、リニアアクチュエータ（ポジ
ショナー）５８によって枢動可能である。それ故に、アクチュエータ５８の直線運動は、
ギアボックス７０及びスプロケット６０の、ピボット８２の回りの回転運動に変換される
。従って、駆動システム５０は、駆動ピニオン６０が被駆動ギア２０とかみ合わないニュ
ートラル構成（図示せず）と、駆動ピニオン６０が被駆動ギア２０とかみ合い係合する被
駆動構成（図１、図２及び図３に示す）とのどちらかの状態をとることができる。ニュー
トラル構成では、車輪１６は、例えば離陸及び着陸中、自由に回転することができるが、
一方、被駆動構成においては、車輪１６は、例えば地上タキシングの間、駆動システム５
０によって駆動させることができる。
【００５９】
図１及び図２の実施形態において、被駆動ギア２０はローラーギア３４を備え、駆動ピ
ニオン６０はスプロケットを備える。
【００６０】
ローラーギア３４は、剛性の環状リング３５と、環状リング３５の両側から突出する一
連のピンから形成される。ピン３８によって回転可能に支持される第１系列のローラー３
６Ａが、環状リング３５の片側に設けられ、ピンによって回転可能に支持される第２系列
のローラー３６Ｂが、環状リングの反対側に設けられる。各系列のローラー３６Ａ、３６
Ｂは、環状リングの周りに延在して無限軌道を形成する。第１及び第２の側方の環状リン
グ３９Ａ、３９Ｂが、第１及び第２系列のローラー３６Ａ、３６Ｂを挟む。第１系列のロ
ーラー３６Ａを支持するピンは、環状リング３５と第１の側方環状リング３９Ａとの間に
延在し、第２系列のローラー３６Ｂを支持するピン３８は、環状リング３５と第２の側方
環状リング３９Ｂとの間に延在する。従って、環状リング３５は、ピンを支持するための
中央スパインを形成し、ピンは中央スパインから片持ち支持される。環状リング３５は、
ローラーギア３４をハブ１８に取り付けるための取り付け手段を提供する、複数の軸方向
に延在する接続延伸タブ（図示せず）を備える。代替的には、タブは環状リング３５に置
き換えられてもよい。
【００６１】
駆動ピニオン６０は、ローラーギア３４のローラー３６とかみ合うことができる、径方
向に延在するスプロケット歯の２つの同軸リングを有するスプロケットを備える。即ち、
スプロケット歯の各リングは、被駆動ギア２０のローラーリングの１つとかみ合うように
配置される。
【００６２】
図３は、代替の好ましい実施形態を示し、被駆動ギア２０は、ローラーギアの代わりに
スプロケットを備え、駆動ピニオンはスプロケットの代わりにローラーギアを備えている
。従って、駆動ピニオンは、ローラーの２つの同軸リングを有するローラーギア６４を備
え、被駆動ギア２０は、スプロケット歯の２つの同軸リングを有するスプロケット６６に
よって置き換えられている。全てのその他の点において、駆動システムは図１及び図２を
参照して上述したものと同じであり、以下に詳述する駆動システムの特徴は双方の実施形
態に等しく当てはまる。ローラーギア６４は、ローラーギア３４と同じように構成するこ
とができるが、その直径は遥かに小さく、従ってローラーの数も少ないことは勿論である
。
【００６３】
スプロケット−ローラーギア配置の利点は、かみ合う歯付きギア配置よりも、車輪と車
軸の変形に対してより寛容であることである。着陸装置の車輪及び車軸は、地上タキシン
グ中に高い荷重を受け、結果的に変形し、車輪に固定された被駆動ギアもこのような変形
に応じて必然的に変形する。かみ合う歯付きギアは、このような変形には不寛容であり、
典型的な歯付きリムギアは、ベアリング、フレキシブルなインターフェイス、又は同様の
ものを介して車輪から隔離する必要がある。これに対し、本発明のスプロケットとローラ
ーの配置は、そのような改装なしに、変形を許容することができる。
【００６４】
このような配置は、軽量で、高い構造強度を有するという利点もある。ローラーの主な
故障モードは、ピンのせん断破壊によるものであり、各ローラーを中間スリーブや、ブッ
シュ又は他の部品を用いずにそれぞれのピンに直接取り付けることにより、ピンの直径を
最大化してせん断強度を最大にすることができる。
【００６５】
上述の実施形態の変形例において、駆動ピニオンは、単一列の歯を有するスプロケット
６０’（図４参照）として形成されてもよく、被駆動ギアは、単一列のローラーを有する
ローラーギアとして形成されてもよい。ローラーギアは、図４のローラーギア３４’又は
図５の６９を含め、多様な形態をとることができる。延伸リング３５’（又はドラム）は
、それがハブ１８の外周から脚１２に向かって延在するように、複数の延伸タブ３７’を
介してハブ１８に堅固に取り付けられる。ローラー３６’のそれぞれは、好適には、それ
自体がピン（図示せず）に取り付けられるブッシュ（図示せず）の周りを回転可能である
。
【００６６】
図５に示すさらなる変形例において、駆動ピニオンは、代替的に、単一列の歯を有する
スプロケット（図示せず）として形成される被駆動ギアと係合させるための単一リングの
ローラーを備えてもよい。このような例において、ローラー３６は、これらのローラー３
６が周りを回転し得るブッシュ（図示せず）と一緒にローラー取り付けピン５１に取り付
けられる。
【００６７】
図は、車輪１６のうちの１つを駆動するための駆動システム５０の特徴のみを示してい
るが、これらの特徴は他の車輪１６にも反映されることが想定される。即ち、１つの駆動
システム５０は、車輪１６のそれぞれに設けられるものとみなす。４つ以上の車輪１６を
有する着陸装置１０の場合、駆動システム５０は、車輪１６のそれぞれに設けるか、それ
らのうちの２つだけに設けてもよい。車輪１６のうちの２つのみに駆動システム５０を設
ける実施形態においては、着陸前に未駆動の車輪をスピンアップするために、さらなるモ
ータ（図示せず）を設けて、地上タキシングを２つの駆動システム５０によって達成する
必要がある。他の実施形態では、１台のモータ５２を２つの駆動システム５０で共有して
もよい。即ち、モーター５２は各駆動装置のギアボックス７０の入力シャフトを回転させ
るように配置してもよい。
【００６８】
図は、着陸装置の車軸１４に剛接続されたブラケット５６によって支持される駆動シス
テム５０のみを示しているが、駆動システム５０は、代替的には、上部の伸縮部１２ａ（
メインフィッティング）又は下部の伸縮部（スライダ）に取り付けられてもよい。
【００６９】
図６は、本発明によるローラーギア６００を示す。ローラーギア６００は、コア６０２
を備える本体部６０１を備えている。コア６０２は、スプライン６０３が設けられたボア
を有し、スプライン６０３は、ローラーギア６００とシャフトとの間にトルクを伝達する
ために、シャフト（図示せず）へのローラーギア６００の取り付けを可能にする。ローラ
ーギア６００には、実質的に円形のアレイ状に配置されて、ローラーのリングを形成する
一連のローラー６０４が設けられている。図示の実施形態では、ローラーの２つの円形ア
レイが並んで設けられ、これにより、図３に図示されるように、隣接するスプロケット歯
の列にローラーギアを係合させることができる。しかしながら、ローラー６０４の単一の
円形アレイを提供し、図４及び図５に示されるように、ローラーギア６００が単一列のス
プロケット歯のみに係合するよう構成することもできる。従って、ローラーギア６００は
、ローラーの１つの円形アレイ６０５か、ローラーの２つの円形アレイ６０５及び６０６
を備えてもよい。必要に応じ、第１及び第２のアレイに隣接して、さらなる円形アレイの
ローラーを設け、さらなるスプロケット歯の列に係合させる能力を提供してもよい。ロー
ラーは、ローラーギアの回転軸に平行である回転軸を有するように配置される。 
【００７０】
隣接するローラー６０４、６０７は、共通のローラーピン６０８に取り付けることがで
きる。ローラーギアの他の例につき上述したように、ローラー６０４、６０７は、ローラ
ーピン６０８に取り付けることができ、ピンに関して回転可能とすることができる。ブッ
シュ６１５を、ローラーとローラーピン６０８との間に設けて、それらの間の相対回転を
促進することができる。ローラーピンのヘッド部をロックする、ロッキングリング６０９
を設けることができ、これは、図７につきより詳細に説明される。ロッキングリング６０
９は、取り外し可能な取り付け手段６１０を介して、ローラーギア６００に取り外し可能
に取り付けられてもよく、取り付け手段は、ねじ又はボルト或いは他の任意の取り外し可
能な取り付け具とすることができる。
【００７１】
図示の実施形態におけるローラーギア６００は、ローラーギア６００のコアの周りに２
つの円形アレイに配置された１１対のローラーを備えている。ローラーのアレイは、軸方
向に一致しているため、隣接するローラーの回転軸は一致しており、従って、隣接するロ
ーラーは共通のローラーピン６０８に取り付けることができる。
【００７２】
ローラーギア６００へのローラーピンの装着及び取り付けを図７につき説明するに、図
７は、ローラー取り付けピン６０８の箇所でローラーギア６００を貫く断面を示す。ロー
ラーギア６００には、少なくとも２つのローラー取り付け部材６１１及び６１２が設けら
れ、ローラーの第２のアレイ６０５が必要とされる場合は、第３のローラー取り付け部材
６１３を設けてもよい。ローラー取り付け部材は、実質的に環状リングであってもよい。
ローラー取り付け部材の機能は、ローラー取り付けピン６０８を適切な開口部のアレイに
保持して、ローラー６０４、６０７のアレイを保持することである。従って、ローラー取
り付け部材のそれぞれには、ローラー取り付けピン６０８を受け入れるための、開口部の
アレイが設けられている。ローラー取り付け部材は、ローラーギアの本体部６０１に取り
付けることができるが、取り付け部材を支持するために他の手段が設けられてもよい。取
り付け部材の少なくとも１つ以上は、例えば、ローラーが取り付けられるピン６０８によ
って、互いに対して保持されてもよい。
【００７３】
ローラー取り付けピン６０８は、ローラー取り付けシャフト６１４を有し、ローラーが
ローラー取り付けピン６０８に回転可能に取り付けられるように、ローラー６０４に入る
ように設定された外径を有する。さらに、ローラー取り付けピン上のローラーの回転を促
進させるためにブッシュ６１５を設けてもよい。ローラー取り付けピン６０８には、ピン
６０８の先端部にヘッド部６１６が設けられている。
【００７４】
ローラー取り付けピンのヘッド部６１６の少なくとも一部は、ピン取り付けシャフトの
中心からの寸法がピン取り付けシャフトの半径よりも大きい最大の径方向寸法を有してい
るため、ピンは、図示される第１のローラー取り付け部材６１１における開口部を経て完
全に通り抜けることが防止されている。この機能は、矢印６１７によって示される第１の
方向における、ローラー取り付けピン６０８の軸方向変位を制限することができる。ピン
の一端に位置することでは、ヘッド部６１６は、第１のローラー取り付け部材６１１に対
して保持されているとき、ローラー取り付け部材にピンを位置付けて、ローラーギアにロ
ーラーを保持することができる。
【００７５】
特に、ローラーギア６００が完全に組み立てられているときや、とりわけそれが使用中
のときには、ローラー取り付けピン６０８の、第１の方向６１７とは反対の、第２の方向
６１８における不所望な変位を防ぐことも必要である。このような機能を提供するために
、第１のローラー取り付けリング６１１には、図示のピンのヘッド部保持手段６１９の形
態で、ローラー取り付け一次ピン保持手段が設けられている。このような保持手段６１９
は、ヘッド部６１６に隣接する第１のローラー取り付け部材６１１と間隔を空けて、その
一部として形成するか、又はそれに取り付けることができる。保持手段６１９は、ローラ
ー取り付けピンのヘッド部の周りにも延在するため、ローラー取り付けリング６１１が第
１の方向６１７におけるローラー取り付けピンのヘッド部６１６の動きを防ぎながら、ピ
ンのヘッド部保持手段は、第１の方向６１７とは反対の第２の方向６１８における、ロー
ラー取り付けピンのヘッド部６１６の動きを防ぐことができる。このように、一旦組み立
てると、ローラー取り付けピン６０８は、ローラーギア６００のローラー取り付けリング
の開口部に保持される。
【００７６】
ローラーギア６００の保守及び組み立ての目的のために、ローラー取り付けピン７０８
は、ローラー取り付けリング６１１、６１２、６１３において、繰り返し取り外すことが
でき、且つ交換できることが望ましい。このために、ローラー取り付けピンのヘッド部６
１６及びピンのヘッド部保持手段６１９は、これらが選択的に係合及び係合解除されて、
ローラー取り付けピン６０８の第２の方向６１８における変位を防止したり、又は許した
りするように配置することができる。
【００７７】
このような選択的な係合は、一例では、取り外し可能なピンヘッド部保持手段６１９を
提供することによって達成することができ、これは、取り付け部材６１１に対してピンの
ヘッド部６１６を保持するために、取り外し可能又は変換可能な要素の形態で提供するこ
とができる。従って、取り外し可能なピンのヘッド部保持要素は、取り外し可能な保持手
段６１９の形態で提供され、ローラーピン取り付け部材６１１に取り外し可能に取り付け
、好適にはそれから間隔を空けて取り付け、ピンのヘッド部を保持して、その軸方向の変
位を制限又は防止することができる。
【００７８】
図示の実施形態において、ローラー取り付けピンのヘッド部６１６は、非対称であり、
第１の側部に、ピンのヘッド部保持手段６１９を係合するための第１の径方向延伸部６２
０を有している。ピンのヘッド部６１６の異なる円周位置には、減縮径部６２１が設けら
れている。このようにして、ピン６０８をその軸を中心に回転させると、ピンのヘッド部
６１６の減縮寸法６２１の箇所が、ピンのヘッド部保持手段６１９に向かって又はそこか
ら離れて位置することが分かる。ピン６０８のその長手方向軸を中心とする、しかるべき
回転位置では、減縮径箇所６２１は、ピンのヘッド部保持手段６１９とピン取り付けリン
グ６１１との間には位置しないため、ピン６０８は第２の軸方向６１８に自由に変位する
。このようなピン取り出しの向きは、ピンを、図７に示す位置に対して、その長手方向軸
を中心に実質的に１８０度回転させる場合に実現される。このようにして、ピン６０８を
適当に回転させると、ピン６０８は、ピンのヘッド部６１６に向かって第２の軸方向６１
８に変位することによって、ローラー６０４及び６０７から、及びローラー取り付けリン
グ６１１、６１２、６１３から抜き出すことができる。この構成のさらなる詳細が、コン
ポーネントの相対配置を示すのに上記と同様の参照番号を用いて、明瞭に示されている。
【００７９】
ピン６０８のローラーギア６００からの不所望な回転及び取り外しを防ぐために、二次
のローラー取り付けピン保持手段を、ピンヘッド部ロッキング手段６０９の形態で提供す
ることができる。ピン６０８を、図７に示すように、その保持設定に回転させ、径寸法の
増大部６２０をピンのヘッド部保持手段６１９とピン取り付け部材６１１との間に位置さ
せると、ピンのヘッド部ロッキング手段６０９は、ピンヘッド部６１６の径方向縮小寸法
部６２１に隣接して位置することができる。従って、ピンのヘッド部ロッキング手段６０
９は、ピンヘッド部６１６の回転を制限又は防止することができるため、ピンのヘッド部
６１６は保持位置にロックされ、ピンは、ローラーピン取り付け手段６１１、６１２及び
６１３に対する軸方向の動きが抑制される。ピンのヘッド部ロッキング手段６０９は、図
示のように、環状リングとして提供してもよく、これは定位置にある場合に、ローラー取
り付けピン６０８の全アレイの全てのヘッド部６１６をロックする。しかしながら、代替
的に、個々のピン６０８用の、又はピン６０８のアレイのサブセット用の別個のピンのヘ
ッド部ロッキング手段を提供してもよい。このように、ローラーギア６００にはローラー
取り付けピン６０８のアレイが設けられ、ローラー取り付けピンの少なくとも１つには、
ピンのヘッド部保持手段６１９と選択的に係合及び係合を解除するように配置されるピン
のヘッド部を設けることができる。ローラー取り付け部材６１１にはさらに、ピンのヘッ
ド部を、それがピンのヘッド部保持手段６１９と係合する係合位置にロックさせるための
、選択的に係合可能なピンのヘッド部ロッキング手段を設けることができる。従って、ピ
ン６０８は、その軸方向の変位が防止されるか、又は制限される係合位置と、ピンがロー
ラー取り付けリング（１つ又は複数）に対して軸方向に変位することが自由である係合解
除位置とを有することができる。従って、ローラーギアは、ピン６０８がギアから取り外
されるのを防止する係合設定と、ピンのローラーギアからの取り外しが自由である、係合
解除設定とを有することもできる。
【００８０】
１個又は複数のピン６０８の回転を促進するために、駆動入力機構６２２を、ピン６０
８の少なくとも一端部に設けてもよく、ピン６０８の両端に設けてもよく、ピンへのトル
ク入力を容易にし、ピンを係合位置と係合解除位置との間で回転させることができる。従
って、駆動機構は、ピンのヘッド部端、つまりヘッド部からのピン遠位端か、又は両端部
に位置させてもよい。駆動機構は、内部六角ドライブであってもよく、又はねじ穴とする
か、ドライバーのヘッド部又は六角棒スパナや、六角ボルトを受け入れる空洞とすること
ができる。駆動機構は、ピン６０８へのトルクの伝達を可能にして、ピンをその長手方向
軸を中心に回転させる、任意の内在的又は突出機構としてもよい。
【００８１】
図１０は、図６〜図９の実施形態のローラー取り付けピンを示す。ピンは、実質的に滑
らかな外表面を有し、ネジ山又は駆動部といったような接続機構を持たないシャフト６１
４を有している。従って、シャフトは実質的に一定の直径であり、ローラーを受け入れる
ために、滑らかな外表面を有しており、好適にはブッシュ６１５も有し、これが用いられ
る場合には、ローラーピン取り付け部材６１１、６１２、６１３の開口部に取り付ける。
ローラー取り付けピンは、上述のようにヘッド部６１６も有し、これは回転非対称であり
、第１の側部に、ピンのヘッド部保持手段６１９を係合するための第１の径方向延伸部６
２０を有している。ピンのヘッド部６１６の異なる周方向位置は、減縮径部６２１が設け
られている。ヘッド部は、実質的に円弧状の第１の部分と、径寸法縮小側の、実質的に真
っ直ぐな第２部分とを有する外周を有している。
【００８２】
図６〜図９に示されるローラーギアは、概ね、図３に示される配置に適している。しか
しながら、図６及び図７につき説明した取り付けリング、ローラー及びローラー取り付け
ピンの配置は、図４に示されるように、その図に示される駆動スプロケット６０による係
合のために、より大きな直径のローラーギアにも等しく適用できることを理解されたい。
【００８３】
図１１は、ローラーギアのためのピンの取り付け及び保持手段の、代替的な配置を示す
。ローラーギア７００の本体部は、図６〜図９につき説明したのと同様である。本体部７
０１は、スプライン７０３が設けられたコア７０２を備えている。本体部は、少なくとも
２つ、図示の例では３つのローラーピン取り付け部材７１１、７１２及び７１３も備えて
いる。ローラー取り付け部材には、各々が図６〜図９につき説明したのと同じやり方で本
体部にローラーを取り付けるためのピン７１５を受け入れる、開口部７１４のアレイが設
けられている。
【００８４】
図６〜図１０と図１１〜図１３の実施形態間の主な差異は、ローラーピン７１５をロー
ラー取り付け部材に保持する仕方にある。図６〜図９の実施形態では、ローラーピンのヘ
ッド部一次保持手段は、ローラー取り付け部材６１１上に機構部６１９の形態で提供され
る。図１１の実施形態では、ピンのヘッド部一次保持手段は、ローラー取り付け部材７１
１における開口部７１４に対応する少なくとも１つの開口部７１７が設けられたプレート
７１６の形態で提供される。開口部７１７は、ローラーピン一次保持手段における開口部
とピンとの間の相対的な並進又は回転移動が、ローラーピンのヘッド部７１８を開口部７
１７のローラーピンリリース部分７１９ａに位置付けることができるように配置される。
ローラーピンに対するローラーピン保持手段の異なる方向の移動によって、ローラーピン
のヘッド部７１８は開口部７１７のローラーピン保持部７１９に位置付けることができる
。図示の実施形態において、ピンとローラーピン一次保持手段との間の相対的な回転動作
は、ローラーピンのヘッド部を、開口部７１７のピンのヘッド部リリース部７１９ａか、
開口部７１７のピンヘッド部保持部７１９のいずれかに位置付ける。図示の例では、ロー
ラーピン一次保持手段は環状リング７１６であり、開口部７１７のアレイを備え、開口部
７１７のそれぞれは、ローラー取り付け部材７１１、７１２、７１３の開口部に対応する
。図示のローラーピン一次保持手段７１６の回転動作は、ローラー取り付け部材７１１、
７１２、７１３の全ての開口部７１４に位置するローラー取り付けピン７１５の全てを同
時に係合、又は係合解除することができる。
【００８５】
さらに詳細な構成が図１２で分かる。ローラー取り付けピン一次保持手段７１６とロー
ラー取り付けピンのヘッド部７１８を係合状態にロックするための、ローラー取り付けピ
ン二次保持手段７２０が、より具体的には、六角ボルト７２０の形態で提供される。しか
しながら、ピンヘッド部７１８又はローラー取り付け部材７１１に対するピンのヘッド部
一次保持手段７１６の動きを概ね防止するために、任意の適切な固定手段を提供すること
ができる。
【００８６】
図１３は、ピンのヘッド部二次保持手段７２０を取り外し、従って、環リング状のピン
のヘッド部一次保持手段７１６をピン７１５に対して並進又は回転させて、リリースする
場合の配置を示している。これは、ピンのヘッド部７１８をピンのヘッド部リリース部７
１７に位置させることを可能にする。従って、図１３に示す設定では、ピン７１５はその
長手方向軸に沿って軸方向に並進するのが自由であるため、ローラー取り付け部材７１１
、７１２、７１３における開口部内から抜き出すか、又はその中で変位させることができ
る。
【００８７】
図１４は、図１３の配置をより詳細に示している。ここでは、ピンのヘッド部一次保持
手段７１６が、ピンのヘッド部リリース部７１７を有し、このリリース部における開口部
の対向面がピンのヘッド部７１８の直径よりも大きな距離だけ離間されているため、ピン
のヘッド部は開口部を通り抜け、ピンをローラーギアから抜き出すことができることが分
かる。リリース部７１７は、好適には、ローラー取り付けピンのシャフトの直径よりも大
きな距離だけ離間された対向面も有しているため、シャフト全体は開口部を通り抜け、ロ
ーラーギアからピンを抜き出すことができる。
【００８８】
ピンのヘッド部リリース部とは対照的に、ピンヘッド部保持部７１９は、ピンヘッド部
の直径よりも小さい、好適には、ローラー取り付けピンのシャフトの直径よりも小さい距
離だけ離間された対向面を有し、ピンの一部又は全体が保持部分７１９を通り抜けること
を防ぐ。しかしながら、保持部７１９の面は、好適には、ローラー取り付けピン７１５の
ネック部の直径よりも大きな距離だけ離隔させ、ネック部はピンのヘッド部７１８からピ
ンのローラー取り付けシャフトを分離し、保持部７１９でネック部を受け止めるようにし
ている。
【００８９】
この例では、円形とし得る開口部の形態で提供される、ローラー取り付けピン二次保持
手段７２０を係合するためのさらなる係合機構７２１を見ることができるが、ピンのヘッ
ド部二次保持手段が、ローラー取り付け部材７１１、７１２、７１３の１つ以上の開口部
に対するピンのヘッド部一次保持手段の回転並進を防ぐことを可能にするため、径変化、
ディップ又は凹部又はプロファイルセクションといったような、ローラー取り付けピンの
ヘッド部二次保持手段を係合させるのに適した任意の機構を提供することができる。
【００９０】
図１１〜１４の実施形態に用いるローラー取り付けピン７１５が、図１５により詳細に
示される。ピン７１５はシャフト部を備え、これは実質的に一定の直径を有し、さらにシ
ャフト上に取り付けられるローラーを受け止めるための滑らかな外面を有し、図６〜９の
ブッシュ６１５によって示されるのと同じやり方でシャフトとローラーとの間に取り付け
られる、ブッシュを随意用いてもよい。ピン７１５はピンのヘッド部７１８を備え、ヘッ
ド部はネック部７０５によってピンの主なシャフトから離隔され、ネック部は図１４に示
されるピンのヘッド部保持手段７１９のピン保持部７１９に係合させるために、径縮小寸
法を有する。ピンのヘッド部もそのヘッド部端に開口部７２２を備えている。この開口部
は、シャフトの長さの一部又は全て通じるボアへの開口部とすることができ、これは別の
開口部７２３とつながり、開口部７２３は、シャフトの外表面と中央開口部７２２との間
に流体連通路を提供することができる。これは、必要であれば、シャフトに取り付けたロ
ーラーに注油するために、開口部７２２への潤滑油を与えることを可能にする。しかしな
がら、適切なブッシュ、例えばＰＴＦＥ又は他の低摩擦或いは自己潤滑性素材で構成され
るブッシュを用いる場合には、このような注油経路は不要である。
【００９１】
開口部７２２は、ピンにトルクを伝達するための係合機構をさらに備えてもよい。同様
の開口部は図１０のピンに適用されてよく、図１０の開口部６２２によってピンにトルク
入力を提供する能力は特に有益である。このように、開口部は、トルク入力機構として、
また必要に応じ、潤滑油入力機構としての二重の機能を随意有することができる。開口部
６２２又は７２２は、リリース時に、ピン６０８又は７１５をローラーギアから抜き出す
ための工具を受け入れるように構成してもよい。
【００９２】
上述の配置のそれぞれにおいて、スプロケットとローラーギア／ローラーチェーンとの
間のかみ合いにより駆動を達成する原理は、被駆動ギアがスプロケットを備え、駆動ピニ
オンがローラーギア／ローラーチェーンを備える場合、及びその逆の場合にも適用するこ
とができる。
【００９３】
本発明を１つ以上の好適な実施形態につき説明したが、添付の請求項にて規定される本
発明の範囲から逸脱しない範囲で、種々の変形や修正が可能であることを理解されたい。
【図１】
2020037403.tif 000003
【図２】
2020037403.tif 000004
【図３】
2020037403.tif 000005
【図４】
2020037403.tif 000006
【図５】
2020037403.tif 000007
【図６】
2020037403.tif 000008
【図７】
2020037403.tif 000009
【図８】
2020037403.tif 000010
【図９】
2020037403.tif 000011
【図１０】
2020037403.tif 000012
【図１１】
2020037403.tif 000013
【図１２】
2020037403.tif 000014
【図１３】
2020037403.tif 000015
【図１４】
2020037403.tif 000016
【図１５】
2020037403.tif 000017
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
ローラーギアであって、
実質的に円形のアレイを形成するように配置された一連のローラーと、
前記ローラーギアの回転軸に沿って互いに軸方向に間隔を空けた少なくとも２つのローラー取り付け部材であり、該ローラー取り付け部材のそれぞれは、そこにローラー取り付けピンを受け入れて、前記ローラー取り付け部材の間に前記ローラーを取り付けるための、実質的に円アレイの開口部を備えている、ローラー取り付け部材と、
前記開口部に配置される前記ローラー取り付けピンのアレイであり、前記ローラー取り付けピンのそれぞれは、前記ローラー取り付け部材に対して前記ローラーを保持するため、前記ローラー取り付け部材及び前記ローラーを入れるための長手方向軸を有する、ローラー取り付けシャフトを備えている、ローラー取り付けピンのアレイと、
を備え、
前記ローラー取り付けピンの少なくとも１つは、前記ピンの径方向寸法の変化によって前記シャフトから区切られた、ローラー取り付けピンのヘッド部を備え、
前記ローラーギアは、その長手方向軸の方向における前記ローラー取り付けピンの軸方向移動を防ぐために、前記少なくとも１つのローラー取り付けピンの前記ヘッド部を係合するように配置された、ローラー取り付けピン一次保持手段をさらに備え、
前記ローラー取り付けピンのヘッド部は、前記ピン取り付けシャフトの半径よりも大きい径方向の最大寸法を有し、第１の軸方向における前記ローラー取り付け部材に対する前記ヘッド部の動きを防ぎ、
前記ローラー取り付けピンの前記ヘッド部は、第１の径方向寸法を有する第１の部分と、前記第１の径方向寸法よりも小さい、第２の径方向寸法を有する第２の部分とを有し、  前記ヘッド部は、第１の径方向寸法を有する第１の側部と、前記第１の径方向寸法よりも小さい、第２の径方向寸法を有する第２の側部とを有し、
前記ローラー取り付けピンの前記ヘッド部は、実質的に円弧状の第１の部分及び実質的に直線状の第２の部分を有する外周を有することを特徴とする、ローラーギア。
【請求項２】
前記ローラー取り付けピン一次保持手段は、前記ローラー取り付けピンと前記ローラー取り付けピン保持手段との間の相対的な回転又は並進動作によって、前記ローラー取り付けピンと係合、又は係合解除するように配置される、
請求項１に記載のローラーギア。
【請求項３】
前記ローラー取り付けピン一次保持手段は、前記ローラー取り付けピンと前記ローラー取り付けピン保持手段との間の相対的な回転動作によって前記ローラー取り付けピンを係合、又は係合解除するように配置される、
請求項２に記載のローラーギア。
【請求項４】
前記ローラー取り付けピン一次保持手段及び前記ローラー取り付けピンを係合状態にロックするための、ローラー取り付けピン二次保持手段をさらに備える、
請求項１〜３のいずれかに記載のローラーギア。
【請求項５】
前記ローラー取り付けピン二次保持手段は、前記ローラー取り付けピンと前記ローラー取り付けピン保持手段との間の相対的な回転動作を防ぐように配置される、
請求項４に記載のローラーギア。
【請求項６】
前記ローラー取り付けピン一次及び二次保持手段の少なくとも１つは、前記ローラー取り付けピンのアレイを同時に保持又はロックしたり、及び／又は、前記ローラー取り付けピンのアレイを同時にリリース又はアンロックしたりするように配置される、実質的に環状の部材である、
請求項１〜５のいずれかに記載のローラーギア。
【請求項７】
前記ローラー取り付けピン一次及び二次保持手段の少なくとも１つを、それが取り付けられるローラー取り付け部材に対して固定するための固定手段をさらに備える、
請求項１〜６のいずれかに記載のローラーギア。
【請求項８】
前記ローラー取り付け部材は、前記ローラーギアのコアに取り付けられる、
請求項１〜７に記載のローラーギア。
【請求項９】
前記コアは、前記ローラーギアが取り付けられるシャフトを受け入れるボアを備える、
請求項８に記載のローラーギア。
【請求項１０】
前記ローラー取り付けピンの少なくとも一端は、前記ピンを回転させるために工具を係合させるための係合機構を備える、
請求項１〜９のいずれかに記載のローラーギア。
【請求項１１】
前記ローラー取り付けピンの端部のそれぞれは、前記ピンを回転させるために工具を係合させるための係合機構を備える、
請求項１０に記載のローラーギア。
【請求項１２】
前記ローラー取り付けピン一次保持手段は、前記ローラー取り付け部材から間隔を空けて、取り付けられる、
請求項１〜１１のいずれかに記載のローラーギア。
【請求項１３】
前記ローラー取り付けピン一次保持手段は、前記ローラーギアの前記回転軸に対して軸方向に延在する第１の部分と、前記ローラーギアの前記回転軸に対して径方向に延在する第２の部分とを備える、
請求項１２に記載のローラーギア。
【請求項１４】
前記ローラー取り付けピン一次保持手段は、前記ローラー取り付け部材の外周の周りに配置される環状部分を備える、
請求項１２又は請求項１３に記載のローラーギア。
【請求項１５】
前記ローラー取り付けピン一次保持手段は、軸方向に延在する第１の環状部分と、径方向に延在する第２の環状部分とを備える、
請求項１４に記載のローラーギア。
【請求項１６】
前記ローラー取り付けピンの少なくとも１つの回転を制限するための、ローラー取り付けピン二次保持手段をさらに備える、
請求項１〜１５のいずれかに記載のローラーギア。
【請求項１７】
前記ローラー取り付けピン二次保持手段は、前記少なくとも１つのローラー取り付けピンヘッド部に隣接して着脱可能に取り付けられるように配置される、
請求項１６に記載のローラーギア。
【請求項１８】
前記ローラー取り付けピン二次保持手段は、前記少なくとも１つのローラー取り付けピンが位置する前記開口部の中心から、前記ローラー取り付けピンのヘッド部の径方向最大寸法よりも小さい距離に配置される、
請求項１７に記載のローラーギア。
【請求項１９】
前記ローラー取り付けピン二次保持手段は、前記ローラー取り付けピンのヘッド部を介して前記ピンの回転を制限するように配置される、
請求項１６〜１８のいずれかに記載のローラーギア。
【請求項２０】
前記ローラー取り付けピン二次保持手段は、前記ローラーギアの２つ以上のローラー取り付けピンを保持するように配置される、
請求項１９に記載のローラーギア。
【請求項２１】
前記ローラー取り付けピン二次保持手段は、実質的に環状のリングであり、その内縁又は外縁の少なくとも１つが、前記ローラー取り付けピンが位置する前記開口部の中心から、前記ローラー取り付けピンのヘッド部の径方向最大寸法よりも小さい距離に位置されるように配置される、
請求項１６〜２０のいずれかに記載のローラーギア。
【請求項２２】
前記ローラー取り付けピン二次保持手段は、前記ローラー取り付けピンをロック及びリリースするために、前記ローラー取り付け部材から繰り返し着脱可能である、
請求項１６〜２１のいずれかに記載のローラーギア。
【請求項２３】
前記ローラーギアの回転軸に沿って互いに軸方向に間隔を空けて、第１、第２及び第３のローラー取り付け部材を備え、第１及び第２系列のローラーが、前記ローラーギアにおけるそれぞれのリングに取り付けられる、
請求項１〜２２のいずれかに記載のローラーギア。
【請求項２４】
少なくとも１つのローラー取り付けピンは、前記ピンのヘッド部に対して縮径のネック部と、前記ローラーギアに前記ピンを保持するために前記ピンヘッド部一次保持手段を係合するための前記ピンのシャフトとを有する、
請求項１〜２３のいずれかに記載のローラーギア。
【請求項２５】
前記ローラー取り付けピン一次保持手段は、前記ローラー取り付けピンのネック部の直径よりも大きく、前記ヘッド部の直径及び前記ローラー取り付けピンの前記シャフトの直径よりも小さい距離だけ間隔を空けた、一対の対向側部を有するピンヘッド部保持部を有する、
請求項２４に記載のローラーギア。
【請求項２６】
前記ローラー取り付けピン一次保持手段は、前記ピンヘッド部又は前記ローラー取り付けピンの前記シャフトの直径よりも大きな距離だけ間隔を空けて対向する面を有する、ピンヘッド部リリース部をさらに備える、請求項２４又は請求項２５に記載のローラーギア。
【請求項２７】
前記ピンヘッド部一次保持手段は、請求項２５の前記ピンヘッド部保持部及び請求項２６の前記ピンヘッド部リリース部を備えている開口部を有する、
請求項２６に記載のローラーギア。
【請求項２８】
前記ローラー取り付けピン一次保持手段は、前記ローラー取り付けピンヘッド部を前記ピンヘッド部保持部又は前記ピンヘッド部解放部にヘッド部選択的に位置付けるために、前記ローラー取り付け部材に対してスライド可能である、
請求項２７に記載のローラーギア。
【請求項２９】
前記ローラー取り付けピン一次保持手段は、請求項２５の前記ピンヘッド部保持部及び請求項２６の前記ピンヘッド部リリース部を備えている、開口部のアレイを備える実質的に環状のリングである、請求項２６又は請求項２７に記載のローラーギア。
【請求項３０】
前記ローラー取り付けピン一次保持手段は、
前記ローラー取り付け部材の前記開口部のアレイが前記ピンヘッド部保持部のアレイと整列する第１の位置及び、前記ローラー取り付け部材の前記開口部のアレイが前記ピンヘッド部リリース部のアレイと整列する第２の位置から、回転可能に配置される、
請求項２９に記載のローラーギア。
【請求項３１】
第１及び第２のローラー取り付け部材を備えている、ローラーギア用の本体であって、
前記ローラー取り付け部材のそれぞれは、それにローラーを取り付けるためにローラー取り付けピンを受け入れるための、実質的に環状のアレイに配置される複数の開口部を備え、
前記ローラー取り付け部材の少なくとも１つは、前記ローラー取り付け部材とローラー取り付けピンヘッド部保持手段との間に、前記ヘッド部を保持するために、前記ローラー取り付けピンの少なくとも１つのヘッド部とを係合するように配置される、前記ローラー取り付けピンヘッド部保持手段を備え、
保持される前記ヘッド部は、第１の径方向寸法を有する第１の側部及び前記第１の径方向寸法よりも小さな第２の径方向寸法を有する第２の側部を有し、
保持される前記ヘッド部は、実質的に円弧状の第１の部分及び実質的に直線の第２の部分を有する外周を有する、
ローラーギア用の本体。
【請求項３２】
前記ローラーを、前記ローラー取り付け部材に対して回転可能に取り付けるために、前記ローラー取り付け部材及び前記ローラーを入れるための、第１の直径を有する、ピン取り付けシャフトと、
第１の軸方向における、前記ローラー取り付け部材に対する前記ヘッド部の移動を防ぐために、前記ピン取り付けシャフトの直径よりも大きな第１の径方向寸法を有する第１の部分を有しているヘッド部と、を備える請求項１〜３０のいずれかのローラーギア用のローラー取り付けピンであって、
前記ピンの前記ヘッド部は、前記第１の径方向寸法よりも小さな第２の径方向寸法を有する、第２の部分を有し、
前記ヘッド部は、第１の径方向寸法を有する第１の側部及び前記第１の径方向寸法よりも小さな第２の径方向寸法を有する第２の側部を有し、
前記ヘッド部は、実質的に円弧状の第１の部分及び実質的に直線の第２の部分を有する外周を有する、
ローラーギア用のローラー取り付けピン。
【請求項３３】
前記ピンをその長手方向軸を中心に回転させるために工具を係合させるための、内在的係合機構をさらに備える、請求項３２に記載のローラー取り付けピン。
【請求項３４】
前記ローラー取り付けピンの端部のそれぞれは、前記ピンを回転させるために工具を受け入れるための、内在的係合機構を備える、
請求項３３に記載のローラー取り付けピン。
【請求項３５】
請求項１〜３０のいずれかに記載のローラーギアを備える、航空機着陸駆動システム。
【請求項３６】
前記駆動システムは、着陸装置の車軸、メインフィッティング部又はスライダ部に剛接続されたブラケットによって支持される、
請求項３５に記載の航空機着陸駆動システム。
【請求項３７】
前記ブラケットは、前記ブラケットの迅速な着脱を可能にする、半月状のクランプを備える２つのラグを含む、
請求項３６に記載の航空機着陸駆動システム。
【外国語明細書】
2020037403000001.pdf